【事件の表示】
　特願２０１３−９９５７５号「遊技機」拒絶査定不服審判事件〔平成２６年１１月２０日出願公開、特開２０１４−２１７６３０号〕について、次のとおり審決する。
【結　論】
　本件審判の請求は、成り立たない。
【理　由】
第１　経緯
　本件は、平成２５年５月９日の出願であり、平成２７年９月１０日付けで拒絶理由通知がなされ、これに対して同年１１月２４日に意見書及び手続補正書が提出され、平成２８年４月２６日付けで最後の拒絶理由通知がなされ、同年７月１１日に意見書及び手続補正書が提出され、同年７月２８日付けで前記同年７月１１日付け手続補正書でした補正が却下されるとともに拒絶査定がなされ、これに対して同年１１月１６日に拒絶査定不服の審判が請求され、同時に手続補正がなされ、平成２９年５月８日付けで当審より拒絶理由通知がなされ、これに対し同年７月６日に意見書及び手続補正書が提出されたものである。
第２　本件請求項１に記載された発明
　平成２９年７月６日付け手続補正は、特許請求の範囲を補正する内容を含んでおり、当該補正後の特許請求の範囲の請求項１に係る発明は次のとおりのものである。（以下「本件発明」という。Ａ〜Ｋは分説のため当審にて付与した。）
「Ａ　所定の遊技を行い、遊技結果に基づいて遊技者にとって有利な有利状態に制御可能な遊技機であって、
Ｂ　前記所定の遊技の進行に対応した画像が表示される第１表示手段と、
Ｃ　前記第１表示手段の前面側で動作可能に設けられ、該第１表示手段に表示される画像と関連した画像が表示される第２表示手段と、
Ｄ　前記第２表示手段の近傍で動作可能に設けられた複数の可動部材と、
Ｅ　前記第２表示手段及び前記可動部材を動作させる動作制御手段と、を備え、
Ｆ　前記動作制御手段は、前記第２表示手段に画像が表示されているときに、前記第２表示手段の動作と前記可動部材の動作とを連動させた連動演出を実行し、
Ｇ　前記第２表示手段は、前記連動演出においていずれの前記可動部材が動作するかに応じて異なる動作をし、
Ｈ　複数の前記可動部材のうち少なくとも第１の可動部材と第２可動部材とが、前記第２表示手段との距離が近くなるように動作し、
Ｉ　前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出と、を実行可能であり、
Ｊ　前記回転動作演出が実行されるときと、前記平行動作演出が実行されるときと、で前記有利状態に制御される割合が異なる
Ｋ　ことを特徴とする遊技機。」
第３　当審の平成２９年５月８日付け拒絶理由の概要
　当審の平成２９年５月８日付け拒絶理由の概要は、本願の請求項１に係る発明は、本願の出願日前に出願され、本願の出願後に出願公開された特許出願（特願２０１２−２８８９０９号（特開２０１４−１２８４７７号）；以下「先願」ともいう。）に記載された発明と同一であるから、特許法第２９条の２の規定により特許を受けることができないというものである。
第４　先願明細書等に記載された事項
１．当審の平成２９年５月８日付け拒絶理由において提示された上記先願の願書に最初に添付された明細書、特許請求の範囲又は図面（以下「先願明細書等」という。）には次の事項が記載されている。
（１）「【０００１】
  
本発明は、遊技機に関する
【背景技術】
【０００２】
  近年の
遊技媒体を用いた遊技を提供する遊技機
（２）「【００４１】
　また、遊技領域６の中央には、遊技球の流下に影響を与える飾り部材７が設けられている。この
飾り部材７の略中央部分には、ＬＣＤ（LiquidCrystal Display）等によって構成される第１液晶表示装置３１（以下、「メイン液晶」とも称する）が設けられており
第１液晶表示装置３１の上方には、仮面の形からなる第１装飾装置３３ａ（便宜上、以下では「装飾装置１」とも称することがある）が設けられている。
【００４２】
　この第１装飾装置３３ａは、仮面の形であって視認できる状態の仮面上部のほか、仮面の口部分を形成する仮面下部によって構成されており、仮面上部を「装飾装置１−１」と称し、仮面下部を「装飾装置１−２」と称する。第１装飾装置３３ａの詳細な構成の一例を図３０（ｂ）に示しており、詳細については後述する。
【００４３】
　また、この
第１液晶表示装置３１の下方には第１液晶表示装置３１に比べて小さいサイズの第２液晶表示装置３７（３３ｃ）（以下、「サブ液晶」とも称する）が設けられている。さらに、第１液晶表示装置３１の左右には遊技媒体の経路の背面であって第１液晶表示装置３１の上面に図１および図２では視認することができないものの第２装飾装置３３ｂがそれぞれ設けられている。このとき、左右それぞれに設けられた装飾装置を総称して第２装飾装置３３ｂと称する。便宜上、以下では第２装飾装置３３ｂを「装飾装置２」と称することがあり、この場合、第１液晶表示装置３１の左側に設けられた装飾装置２を特に「装飾装置２−１」と称し、第１液晶表示装置３１の右側に設けられた装飾装置２を特に「装飾装置２−２」と称することがある。
（３）「【００４６】
　
第１液晶表示装置３１には、
遊技の進行に応じた画像を表示したりする。
【００４７】
　より具体的には、第１始動口１４または第２始動口１５に遊技球が入球したときには、３個の演出図柄３８をそれぞれスクロール表示（回転表示）による変動表示を行うとともに、所定時間経過後に当該スクロールを停止させて、演出図柄３８を停止表示するものである。また、この演出図柄３８の変動表示中に、キャラクタ等によって構成される演出画像を表示することによって、大当たりに当選するかもしれないという高い期待感を遊技者に与えるようにもしている。
【００４８】
　上記
演出用駆動装置３３によって駆動される第１装飾装置３３ａおよび第２装飾装置３３ｂ
【００４９】
　この
演出用駆動装置３３によって駆動される第１装飾装置３３ａは、上下方向に移動することが可能（もちろん上下方向に限定されず上下左右に移動可能）であって、この上下方向の移動によって第１液晶表示装置３１の前面に移動することとなる
【００５０】
　また、第２装飾装置３３ｂは、棒状の形状からなり、ある支点を中心に回動可能であって、回動することによって第２装飾装置３３ｂと第２液晶表示装置３７若しくは第２液晶表示装置３７に表示された演出画像とが連動することとなる。
【００５１】
　
第２液晶表示装置３７（３３ｃ）も第１装飾装置３３ａと同様に、演出用駆動装置３３によって駆動されることにより移動することが可能
【００５２】
　この縦向き態様となったときに第２液晶表示装置３７は、第１液晶表示装置３１の前面に移動することとなる。
【００５３】
　また、
縦向き態様となった第２液晶表示装置３７（３３ｃ）の位置と第１装飾装置３３ａが下方に移動したときの位置との関係は、第１装飾装置３３ａの前面に第２液晶表示装置３７（３３ｃ）を配置した関係としてもよいし、反対に、第２液晶表示装置３７（３３ｃ）の前面に第１装飾装置３３ａを配置した関係としてもよい
（４）「【００９３】
　続いて、図５（ｂ）は、「普通図柄の抽選」に用いられる当り判定テーブルを示す図である。
【００９４】
　具体的には、この当たり判定テーブルは、時短遊技状態の有無と、取得された普通図柄判定用乱数値とに基づいて、「当たり」か「ハズレ」を判定するものである。
【００９５】
　例えば、図５（ｂ）に示す当り判定テーブルによれば、非時短遊技状態であるときには、「０」という１個の普通図柄判定用乱数値が当たりと判定される一方で、時短遊技状態であるときには、「０」乃至「６５５３４」の全６５５３５個の普通図柄判定用乱数値が当たりと判定される。なお、図示していないが、上記に示す普通図柄判定用乱数値以外の他の乱数値であった場合には、「ハズレ」と判定される。
【００９６】
　従って、普通図柄判定用乱数値の乱数範囲が「０」から「６５５３５」であるから、
非時短遊技状態のときに「当たり」と判定される確率は「１／６５５３６」であり、時短遊技状態のときに「当たり」と判定される確率は「６５５３５／６５５３６」である
（５）「【００９９】
　具体的には、図６に示す図柄決定テーブルによれば、
特別図柄表示装置の種別（遊技球が入賞した始動口の種別）と、第１始動口１４または第２始動口１５に遊技球が入球したときに取得される大当たり図柄用乱数値または小当たり図柄用乱数値等とに基づいて、特別図柄の種類（停止図柄データ）が決定され
・・・
【０１０４】
　なお、後述するように、
特別図柄の種類（停止図柄データ）によって、大当たり遊技終了後の遊技状態（図７参照）、
が決定され
【０１０５】
　図７は、大当たり遊技終了後の遊技状態を決定するための大当たり遊技終了時設定データテーブルである。
【０１０６】
　この図７に示す大当たり遊技終了時設定データテーブルによって、
特別図柄の種類（停止図柄データ）と遊技状態バッファに記憶された状態とに基づいて、
時短遊技フラグの設定、時短回数（Ｊ）の設定が行われる。
【０１０７】
　ここで、
「遊技状態バッファ」とは、大当たり当選時の遊技状態を示す情報である。そして、遊技状態は、時短遊技状態（又は非時短遊技状態）および高確率遊技状態（又は低確率遊技状態）の組合せから構成されている。
【０１０８】
　具体的には、遊技状態バッファが「００Ｈ」であれば、
時短遊技フラグ
がセットされていない
非時短遊技状態
時短遊技フラグはセットされていない
非時短遊技状態
時短遊技フラグがセットされている
時短遊技状態
時短遊技フラグ
がセットされている
時短遊技状態
【０１０９】
　
図７に示す大当たり遊技終了時設定データテーブルでは、同じ特別図柄の種類であっても、遊技状態バッファに記憶された情報に基づいて、時短遊技フラグの設定や時短回数（Ｊ）を異ならせることを可能にしている。
【０１１０】
　
具体的には、特別図柄の種類が特別図柄３（停止図柄データ０３、第１確変大当たり「３」に対応）の場合には、
【０１１１】
　一方、
時短遊技フラグ及び時短回数（Ｊ）に関しては、遊技状態バッファに時短遊技フラグが設定されていない遊技状態を示す情報（「００Ｈ」または「０１Ｈ」）が記憶されていれば、大当たり終了後には時短遊技フラグの設定は行わず、時短回数（Ｊ）も「０回」に設定する。これに対して、遊技状態バッファに時短遊技フラグが設定されている遊技状態を示す情報（「０２Ｈ」または「０３Ｈ」）が記憶されていれば、大当たり遊技終了後には時短遊技フラグをセットして、時短回数（Ｊ）を「１００００回」に設定する。
【０１１２】
　
これにより、大当たり当選時の遊技状態によって時短回数（Ｊ）を変化させ、大当たり当選時の遊技状態に対する興味を遊技者に持たせることができる。
（６）「【０１３８】
　図１０は、後述するように特別図柄の変動パターンを決定する変動パターン決定テーブルを示す図である。
【０１３９】
　具体的には、
図１０に示す特別図柄の変動パターン決定テーブルによって、作動する特別図柄表示装置（遊技球が入賞した始動口の種別）、大当たりの判定結果、停止する特別図柄、時短遊技状態の有無、特別図柄保留数（Ｕ１またはＵ２）、リーチ判定用乱数値及び特図変動用乱数値に基づき、特別図柄の変動パターンが決定される。
【０１４０】
　そして、決定した特別図柄の変動パターンに基づいて、特別図柄の変動時間が決定されるとともに、演出制御基板１２０に特別図柄の情報を送信する特別図柄の変動パターン指定コマンドが特定される。
（７）「【０１５６】
　このときの
変動パターン指定コマンドに基づいて演出パターン指定コマンドを特定する際に用いるテーブルの一例を図１１に示している。
・・・
【０１６０】
　
演出制御基板１２０は、図１１に示すような演出パターン決定テーブル等を用いて演出パターン指定コマンドを作成してランプ制御基板１４０や画像制御基板１５０へと送出する。
（８）「【０３０６】
　
演出パターン指定コマンド「Ａ１Ｈ０５Ｈ」を演出制御基板１２０から受信したランプ制御基板１４０では、図１５に示すような連動情報テーブルを用いて、第１装飾装置連動情報および第２装飾装置連動情報およびサブ液晶連動情報における詳細情報を特定する処理を行い、この詳細情報に基づく情報を演出用駆動装置３３に送信する処理を行う。
・・・
【０３１６】
　このことから、
ランプ制御基板１４０は、第２液晶表示装置３７を駆動するために「第２液晶表示装置（サブ液晶）を第３形態へと形態変更する」というサブ液晶連動情報を演出用駆動装置３３に送信する。
・・・
【０３１８】
　
図３０（ａ）には、ランプ制御基板１４０が演出制御基板１２０から演出パターン指定コマンド「Ａ１Ｈ０５Ｈ」を受信したことによって作成した駆動指示情報に基づいて、演出用駆動装置３３が、第１装飾装置３３ａおよび第２装飾装置３３ｂを駆動することによって移動させた状態を示し、ランプ制御基板１４０が演出制御基板１２０から演出パターン指定コマンド「Ａ１Ｈ０５Ｈ」を受信したことによって特定したサブ液晶連動情報に基づいて、演出用駆動装置３３が、第２液晶表示装置３７を駆動させた状態を示している
・・・
【０３２０】
　すなわち、
図３０（ａ）は、演出用駆動装置３３が、
装飾装置２（第２装飾装置３３ｂ）の装飾装置２−１を駆動することによって右移動後指定位置である移動位置（ａ１、ｂ１）へと移動し、装飾装置２（第２装飾装置３３ｂ）の装飾装置２−２を駆動することによって左移動後指定位置である移動位置（ａ２、ｂ２）へと移動した状態を示し
【０３２１】
　さらに、この
図３０（ａ）では、演出用駆動装置３３が、第２液晶表示装置３７を駆動することによって「第３形態」の状態を示し
【０３２２】
　これによって、
演出制御基板１２０から演出パターン指定コマンド「Ａ１Ｈ０５Ｈ」を受信した画像制御基板１５０が演出画像を描画して第１液晶表示装置３１および第２液晶表示装置３７に表示した演出画像と、
演出用駆動装置３３がこの駆動指示情報に基づいて第１装飾装置３３ａおよび第２装飾装置３３ｂと、を連動させた演出が行われる
・・・
【０３２４】
　以上のことから、演出制御基板１２０からランプ制御基板１４０および画像制御基板１５０に送出された
演出パターン指定コマンド「Ａ１Ｈ０５Ｈ」に対して、画像制御基板１５０からの指示により図１２に示すようなアニメーション情報決定テーブルを用いて決定したアニメーション情報に基づく演出画像を表示する第１液晶表示装置３１および第２液晶表示装置３７
【０３２５】
　また、ランプ制御基板１４０において演出制御基板１２０から演出パターン指定コマンド「Ａ１Ｈ０６Ｈ」を受信した場合について説明する。
【０３２６】
　
演出制御基板１２０から演出パターン指定コマンド「Ａ１Ｈ０６Ｈ」を受信すると、ランプ制御基板１４０では、上述するように、第１装飾装置連動情報および第２装飾装置連動情報およびサブ液晶連動情報における詳細情報を特定する処理を行う。
【０３２７】
　
まず、第１装飾装置連動情報として、図１５に示す連動情報テーブルから「装飾装置種別」項目の値として、「装飾装置１」が構成する「装飾装置１−１」および「装飾装置１−２」を特定する。
・・・
【０３３２】
　このことから、
ランプ制御基板１４０は、第１装飾装置３３ａを構成する「装飾装置１−１」および「装飾装置１−２」を動作するために、「装飾装置１−１によって識別される装飾装置をサブ指定位置１である移動位置（ｘ２、ｙ２）へと移動させるとともに、装飾装置１−２によって識別される装飾装置をサブ指定位置２である移動位置（ｘ３、ｙ３）へと移動させ、この位置において動作００３で識別される動作を行う」という情報を含む駆動指示情報（第１駆動指示情報）を作成し、演出用駆動装置３３に送信する。
・・・
【０３３５】
　
そして、サブ液晶連動情報として、図１５に示す連動情報テーブルから「駆動後形態」項目の値として「第２形態」を特定する。この第２形態は、「形態説明」の項目によって示される「メイン液晶中央部横配置（上方）」であることを示している。
【０３３６】
　図３０（ｂ）には、ランプ制御基板１４０が演出制御基板１２０から演出パターン指定コマンド「Ａ１Ｈ０６Ｈ」を受信したことで作成した駆動指示情報に基づいて、演出用駆動装置３３が第１装飾装置３３ａおよび第２液晶表示装置３７を駆動させた状態を示している。
・・・
【０３３９】
　さらに、図３０（ｂ）では、演出用駆動装置３３が、第２液晶表示装置３７を第２形態へと形態を変更した状態を示している。
・・・
【０３４３】
　図２９では、３つの形態を示すほか、これら各形態間の形態遷移を示している。
【０３４４】
　まず、
図２９（ａ）では、第２液晶表示装置３７の初期状態として第１液晶表示装置３１の下方に横向き配置した形態である第１の形態（第１形態）を示している。
【０３４５】
　
次に、図２９（ｂ）では、第２液晶表示装置３７を図２９（ａ）に示すような横向き配置にある第１形態から第１液晶表示装置３１の中央部に上昇させた第２の形態（第２形態）
【０３４６】
　
そして、図２９（ｃ）では、図２９（ｂ）に示す第２形態である、第１液晶表示装置３１の中央部に横向き配置された状態から左右いずれかの方向に直角回転させて、第２液晶表示装置３７の横向き配置から縦向き配置とし、若干上方に移動させた第３の形態（第３形態）
（９）「【０３５７】
　図３０（ａ）は、上述するように、ランプ制御基板１４０および画像制御基板１５０が演出制御基板１２０から演出パターン指定コマンド「Ａ１Ｈ０５Ｈ」を受信したことによって駆動した状態を示している。
【０３５８】
　
図３０（ａ）では、第１装飾装置３３ａ（装飾装置種別が「装飾装置１−１」）が、「移動位置（ｘ１、ｙ１）」のメイン指定位置にあり、第２装飾装置３３ｂであって装飾装置種別が「装飾装置２−１」である装飾装置を「移動位置（ａ１、ｂ１）」の右移動後指定位置の状態へと駆動させ、第２装飾装置３３ｂであって装飾装置種別が「装飾装置２−２」である装飾装置を「移動位置（ａ２、ｂ２）」の左移動後指定位置の状態へと駆動させ、第２液晶表示装置３７をメイン液晶中央部縦配置（上方）である「第３形態」とした状態を示している。
【０３５９】
　
これによって、特定の条件として演出パターン指定コマンド「Ａ１Ｈ０５Ｈ」に基づく演出が成立することで、第１液晶表示装置３１に表示した演出画像と、第２液晶表示装置３７に表示した演出画像と、第１装飾装置３３ａと、第２装飾装置３３ｂと、第２液晶表示装置３７とが連動した演出が行われることとなる
【０３６０】
　図３０（ｂ）は、上述するように、ランプ制御基板１４０および画像制御基板１５０が演出制御基板１２０から演出パターン指定コマンド「Ａ１Ｈ０６Ｈ」を受信したことによって駆動した状態を示している。
【０３６１】
　図３０（ｂ）では、
第１装飾装置３３ａであって装飾装置種別が「装飾装置１−１」である装飾装置を、「移動位置（ｘ２、ｙ２）」のサブ指定位置１の状態へと駆動させ、第２装飾装置３３ｂであって装飾装置種別が「装飾装置１−２」である装飾装置を、「移動位置（ｘ３、ｙ３）」のサブ指定位置２の状態へと駆動させ、第２液晶表示装置３７をメイン液晶中央部横配置（上方）である「第２形態」とした状態を示している。
【０３６２】
　
これによって
第１装飾装置３３ａと、第２液晶表示装置３７とが連動した演出が行われることとなる。
（Ｆ１）図２９には、上記【０３４４】〜【０３４６】の記載事項に対応して、図２９（ａ）から図２９（ｃ）にかけて、順に第２液晶表示装置３７が第１態様から第３態様へと駆動される様子が記載されている。該各図では、
第２液晶表示装置３７は同じ面が正面視で視認されていることがみてとれ
（Ｆ２）図３０（ａ）には、第３形態となった第２液晶表示装置３７の左側に視認可能な「装置種別２−１」が、右側に視認可能な「装置種別２−２」が、それぞれ正面視でほぼ接する程度に近接することが記載されている。ここで、「装置種別」とは、上記【００４３】及び【０３２０】の記載事項との対応から、「装飾装置」の誤記であると認められる。
　よって、図３０（ａ）には、
第３形態となった第２液晶表示装置３７の左側に視認可能な「装飾装置２−１」が、右側に視認可能な「装飾装置２−２」が、それぞれ正面視でほぼ接する程度に近接する
（Ｆ３）図３０（ａ）には、第２液晶表示装置３７が
第１液晶表示装置３１の前面側中央部
　しかし、上記【０３５８】には「図３０（ａ）では、第１装飾装置３３ａ（装飾装置種別が「装飾装置１−１」）が、「移動位置（ｘ１、ｙ１）」のメイン指定位置にあり、第２装飾装置３３ｂであって装飾装置種別が「装飾装置２−１」である装飾装置を「移動位置（ａ１、ｂ１）」の右移動後指定位置の状態へと駆動させ、第２装飾装置３３ｂであって装飾装置種別が「装飾装置２−２」である装飾装置を「移動位置（ａ２、ｂ２）」の左移動後指定位置の状態へと駆動させ、第２液晶表示装置３７をメイン液晶中央部縦配置（上方）である「第３形態」とした状態を示している。」と記載されていることと、装飾装置２−１・２−２の各「指定位置」の名称について齟齬がある。該各装飾装置について上記【００４３】には「第１液晶表示装置３１の左側に設けられた装飾装置２を特に「装飾装置２−１」と称し、第１液晶表示装置３１の右側に設けられた装飾装置２を特に「装飾装置２−２」と称する」なる記載があることから、装飾装置２−１は第１液晶表示装置３１の左側位置から図３０（ａ）の位置へ右方向に、装飾装置２−２は第１液晶表示装置３１の右側位置から図３０（ａ）の位置へ左方向に、それぞれ移動したと解することが妥当といえる。
　よって、前記図３０（ａ）に記載された「左移動後指定位置」、「右移動後指定位置」はそれぞれ「右移動後指定位置」、「左移動後指定位置」の誤記であり、該図３０（ａ）には、「装飾装置２−１が「右移動後指定位置」に、装飾装置２−２が「左移動後指定位置」にあること」が記載されている認められる。
（Ｆ４）図３０（ｂ）には、第２液晶表示装置３７が、第１液晶表示装置３１の下方位置から上方の
第１液晶表示装置３１前面位置
第１液晶表示装置３１の上方の「メイン指定位置」に比べて下方の「サブ指定位置１」に移動し
（Ｆ５）
サブ液晶すなわち第２液晶表示装置３７が「第３形態」に駆動される演出は、図１５の「連動情報テーブル」によれば演出内容が「リーチ演出Ｃ」、演出パターン指定コマンドが「Ａ１Ｈ０５Ｈ」の場合に対応し、この場合を図１１の「演出パターン決定テーブル」でみると、変動パターン指定コマンドが「Ｅ６Ｈ０３Ｈ」の場合に対応し、この場合を図１０の「特別図柄の変動パターンテーブル」でみると、当落が「大当たり」で特別図柄（停止図柄）が「特別図柄１（第１確変大当たり１）」の場合のうちの特図変動用乱数値が９０〜９９の場合に対応し、この「特別図柄１（第１確変大当たり）」の場合を図７の「大当たり遊技終了時設定データテーブル」でみると、無条件に「時短遊技状態」が設定されることが示されている。
　一方、サブ液晶すなわち第２液晶表示装置３７が「第２形態」に駆動される演出は、図１５の「連動情報テーブル」によれば演出内容が「チャンス演出」、演出パターン指定コマンドが「Ａ１Ｈ０６Ｈ」の場合に対応し、この場合を図１１の「演出パターン決定テーブル」でみると、変動パターン指定コマンドが「Ｅ６Ｈ０４Ｈ」の場合に対応し、この場合を図１０の「特別図柄の変動パターンテーブル」でみると、当落が「大当たり」で特別図柄（停止図柄）が「特別図柄２，３（第１確変大当たり２，３）」の場合のうちの特図変動用乱数値が０〜９９の場合に対応し、この「特別図柄２，３（第１確変大当たり２，３）」の場合を図７の「大当たり遊技終了時設定データテーブル」でみると、そのうち「特別図柄２」の場合には無条件に「時短遊技状態」が選択され、「特別図柄３」の場合には、上記【０１０７】で「大当たり当選時の遊技状態を示す情報」と説明される「遊技状態バッファ」の情報に応じて、「時短遊技状態」が、該当選時の遊技状態が時短状態でなければ「非時短遊技状態」に、該当選時が時短状態であれば「時短遊技状態」に設定されることが示されている。
　ここで、図１０の「特別図柄の変動パターン決定テーブル」では、「特別図柄」が「特別図柄１」となる場合において特図変動用乱数値によりその一部の場合についてのみ変動パターン指定コマンドが変動内容「リーチＣ」に対応する「Ｅ６Ｈ０３Ｈ」に設定されるが、逆に、変動パターン指定コマンドが「Ｅ６Ｈ０３Ｈ」の場合のすべては特別図柄の判定結果が「特別図柄１」である場合に該当するから、変動パターン指定コマンドが「Ｅ６Ｈ０３Ｈ」の場合には無条件に「時短遊技状態」が設定されるといえる。
２．上記記載事項（１）〜（１１）、（Ｆ１）〜（Ｆ５）　から、以下の事項が導かれる。
（ア）上記【０００１】には「本発明は、遊技機に関する」と記載され、、上記【０００２】には、発明の背景技術として「遊技媒体を用いた遊技を提供する遊技機」が挙げられていることから、先願明細書等に記載された発明は「
遊技媒体を用いた遊技を提供
遊技機
　また、上記【００９６】には「非時短遊技状態のときに「当たり」と判定される確率は「１／６５５３６」であり、時短遊技状態のときに「当たり」と判定される確率は「６５５３５／６５５３６」である」との記載から、「時短遊技状態」は「非時短遊技状態」よりも「当たり」すなわち有利状態と判定される確率が高いといえ、よって、「時短遊技状態」の方が「非時短遊技状態」よりも有利な状態であるといえる。
　そして、「特別図柄表示装置の種別（遊技球が入賞した始動口の種別）と、第１始動口１４または第２始動口１５に遊技球が入球したときに取得される大当たり図柄用乱数値または小当たり図柄用乱数値等とに基づいて、特別図柄の種類（停止図柄データ）が決定され」、「特別図柄の種類（停止図柄データ）によって、大当たり遊技終了後の遊技状態（図７参照）・・・が決定され」、「特別図柄の種類（停止図柄データ）と遊技状態バッファに記憶された状態とに基づいて、・・・時短遊技フラグの設定、時短回数（Ｊ）の設定が行われる」（上記【００９９】【０１０４】【０１０６】）のであり、「時短遊技フラグがセットされている」のが「時短遊技状態」で「時短遊技フラグがセットされていない」のが「非時短遊技状態」である（上記【０１０８】）から、先願明細書等には、
時短遊技状態が、遊技球が入賞した始動口の種別と、第１始動口１４または第２始動口１５に遊技球が入球したときに取得される大当たり図柄用乱数値または小当たり図柄用乱数値等とに基づいて制御される
（イ）上記【００４６】には「第１液晶表示装置３１には、・・・遊技の進行に応じた画像を表示したりする。」と記載されていることから、先願明細書等には、
遊技の進行に応じた画像を表示する第１液晶表示装置３１
（ウ）例えば上記【０３２２】には「演出制御基板１２０から演出パターン指定コマンド「Ａ１Ｈ０５Ｈ」を受信した画像制御基板１５０が演出画像を描画して第１液晶表示装置３１および第２液晶表示装置３７に表示した演出画像と、・・・演出用駆動装置３３がこの駆動指示情報に基づいて第１装飾装置３３ａおよび第２装飾装置３３ｂと、を連動させた演出が行われる」と記載され、上記【０３２４】には「演出パターン指定コマンド「Ａ１Ｈ０５Ｈ」に対して、画像制御基板１５０からの指示により図１２に示すようなアニメーション情報決定テーブルを用いて決定したアニメーション情報に基づく演出画像を表示する第１液晶表示装置３１および第２液晶表示装置３７」と記載されていることから、先願明細書等には、
「演出制御基板１２０から演出パターン指定コマンド「Ａ１Ｈ０５Ｈ」を受信した画像制御基板１５０が」「画像制御基板１５０からの指示により図１２に示すようなアニメーション情報決定テーブルを用いて決定したアニメーション情報に基づく演出画像を表示演出画像」「を描画して」「第１液晶表示装置３１」と共に「表示」する「第２液晶表示装置３７」
　また、上記【０３１８】には「図３０（ａ）には、・・・ランプ制御基板１４０が演出制御基板１２０から演出パターン指定コマンド「Ａ１Ｈ０５Ｈ」を受信したことによって特定したサブ液晶連動情報に基づいて、演出用駆動装置３３が、第２液晶表示装置３７を駆動させた状態を示している」、上記【０３２１】には「図３０（ａ）では、演出用駆動装置３３が、第２液晶表示装置３７を駆動することによって「第３形態」の状態を示している」と記載され、前記「第２液晶表示装置」が該「第３の形態」に駆動される動作について上記【０３４６】には「第２形態である、第１液晶表示装置３１の中央部に横向き配置された状態から左右いずれかの方向に直角回転させて、第２液晶表示装置３７の横向き配置から縦向き配置とし、若干上方に移動させた第３の形態（第３形態）」と記載されている。
　また、前記１．（Ｆ３）のとおり、第２液晶表示装置３７の位置は、前記「第２形態」で第１液晶表示装置３１前面位置であり、前記「第３形態」では第１液晶表示装置３１の前面側中央部であるといえ、両形態間で前記第２液晶表示装置は第１液晶表示装置３１の前面側で移動するといえることから、先願明細書等には、
ランプ制御基板１４０が演出制御基板１２０から演出パターン指定コマンド「Ａ１Ｈ０５Ｈ」を受信したことによって、第２形態である、第１液晶表示装置３１の前面側中央部に第２液晶表示装置３７が横向き配置された状態から、左右いずれかの方向に直角回転させて、該横向き配置から縦向き配置とし、若干上方に移動させた第３の形態（第３形態）へと、第１液晶表示装置３１の前面側で駆動され
（エ）上記【００４９】には「演出用駆動装置３３によって駆動される第１装飾装置３３ａは、上下方向に移動することが可能（もちろん上下方向に限定されず上下左右に移動可能）であって、この上下方向の移動によって第１液晶表示装置３１の前面に移動することとなる」と、上記【００５３】には「縦向き態様となった第２液晶表示装置３７（３３ｃ）の位置と第１装飾装置３３ａが下方に移動したときの位置との関係は、第１装飾装置３３ａの前面に第２液晶表示装置３７（３３ｃ）を配置した関係としてもよいし、反対に、第２液晶表示装置３７（３３ｃ）の前面に第１装飾装置３３ａを配置した関係としてもよい」と、それぞれ記載され、該各記載によれば、第１装飾装置３３ａが下方に移動して第１液晶表示装置３１の前面に移動することにより、第１装飾装置３３ａ及び第２液晶表示装置３７が相互に前後面の関係、すなわち正面視で重畳する関係になることから、第１装飾装置３３ａが「上下方向に移動」する範囲は第２液晶表示装置３７の近傍であるといえる。
　また、上記【００４３】には、「第１液晶表示装置３１の左右には遊技媒体の経路の背面であって第１液晶表示装置３１の上面に図１および図２では視認することができないものの第２装飾装置３３ｂがそれぞれ設けられている。このとき、左右それぞれに設けられた装飾装置を総称して第２装飾装置３３ｂと称する。便宜上、以下では第２装飾装置３３ｂを「装飾装置２」と称することがあり、この場合、第１液晶表示装置３１の左側に設けられた装飾装置２を特に「装飾装置２−１」と称し、第１液晶表示装置３１の右側に設けられた装飾装置２を特に「装飾装置２−２」と称することがある。」と記載され、さらに上記【０３２０】には「図３０（ａ）は、演出用駆動装置３３が、・・・装飾装置２（第２装飾装置３３ｂ）の装飾装置２−１を駆動することによって右移動後指定位置である移動位置（ａ１、ｂ１）へと移動し、装飾装置２（第２装飾装置３３ｂ）の装飾装置２−２を駆動することによって左移動後指定位置である移動位置（ａ２、ｂ２）へと移動した状態を示している」との記載がある。さらに、上記図３０（ａ）は上記１．（Ｆ２）のとおり、装飾装置２−１・２−２がそれぞれ視認可能で第２液晶表示装置３７に対し近接する位置に進出した状態を示している。
　これらと、上記１．（Ｆ３）における図３０（ａ）についての誤記の認定とから、「装飾装置２−１」は、第１液晶表示装置３１の左側にあって視認できない位置から、右移動後指定位置へ移動、すなわち右方向へ移動して第２液晶表示装置３７に接近し、「装飾装置２−２」は、第１液晶表示装置３１の右側にあって視認できない位置から、左移動後指定位置へ移動、すなわち左方向へ移動して第２液晶表示装置３７に接近しており、前記第２装飾装置３３ｂを構成する該装飾装置２−１・２−２は何れも、第２液晶表示装置３７の近傍で動作しているといえる。
　以上から、先願明細書等には、
第２液晶表示装置３７の近傍で上下方向に移動することが可能な第１装飾装置３３ａ、ならびに、装飾装置２−１・２−２の２要素からなり、それぞれが第２液晶表示装置３７の近傍で左右方向に移動可能な第２装飾装置３３ｂ
（オ）上記【００４８】の「演出用駆動装置３３によって駆動される第１装飾装置３３ａおよび第２装飾装置３３ｂ」、上記【００５１】の「第２液晶表示装置３７（３３ｃ）も第１装飾装置３３ａと同様に、演出用駆動装置３３によって駆動されることにより移動することが可能」なる各記載から、先願明細書等には、
前記第２液晶表示装置３７ならびに前記第１装飾装置３３ａおよび第２装飾装置３３ｂを駆動する演出用駆動装置３３
（カ）上記【０３１８】〜【０３２３】には、「図３０（ａ）には、ランプ制御基板１４０が演出制御基板１２０から演出パターン指定コマンド「Ａ１Ｈ０５Ｈ」を受信したことによって作成した駆動指示情報に基づいて、演出用駆動装置３３が、第１装飾装置３３ａおよび第２装飾装置３３ｂを駆動することによって移動させた状態を示し、ランプ制御基板１４０が演出制御基板１２０から演出パターン指定コマンド「Ａ１Ｈ０５Ｈ」を受信したことによって特定したサブ液晶連動情報に基づいて、演出用駆動装置３３が、第２液晶表示装置３７を駆動させた状態を示している。・・・図３０（ａ）は、演出用駆動装置３３が、・・・装飾装置２（第２装飾装置３３ｂ）の装飾装置２−１を駆動することによって右移動後指定位置である移動位置（ａ１、ｂ１）へと移動し、装飾装置２（第２装飾装置３３ｂ）の装飾装置２−２を駆動することによって左移動後指定位置である移動位置（ａ２、ｂ２）へと移動した状態を示し・・・図３０（ａ）では、演出用駆動装置３３が、第２液晶表示装置３７を駆動することによって「第３形態」の状態を示し・・・演出制御基板１２０から演出パターン指定コマンド「Ａ１Ｈ０５Ｈ」を受信した画像制御基板１５０が演出画像を描画して第１液晶表示装置３１および第２液晶表示装置３７に表示した演出画像と、・・・演出用駆動装置３３がこの駆動指示情報に基づいて第１装飾装置３３ａおよび第２装飾装置３３ｂと、を連動させた演出が行われる」と記載されている。
　また、上記【０３５９】には「特定の条件として演出パターン指定コマンド「Ａ１Ｈ０５Ｈ」に基づく演出が成立することで、第１液晶表示装置３１に表示した演出画像と、第２液晶表示装置３７に表示した演出画像と、第１装飾装置３３ａと、第２装飾装置３３ｂと、第２液晶表示装置３７とが連動した演出が行われることとなる」なる記載がある。
　よって、該各記載から、先願明細書等には、
「演出パターン指定コマンド「Ａ１Ｈ０５Ｈ」に基づく演出が成立することで、」「演出用駆動装置３３が、第１装飾装置３３ａおよび第２装飾装置３３ｂを駆動」し、「演出用駆動装置３３が、第２液晶表示装置３７を駆動することによって「第３形態」の状態」とし、「第１液晶表示装置３１に表示した演出画像と、第２液晶表示装置３７に表示した演出画像と、第１装飾装置３３ａと、第２装飾装置３３ｂと、第２液晶表示装置３７とが連動した演出が行われ
（キ）上記【０３５８】〜【０３５９】には、「図３０（ａ）では、第１装飾装置３３ａ（装飾装置種別が「装飾装置１−１」）が、「移動位置（ｘ１、ｙ１）」のメイン指定位置にあり、第２装飾装置３３ｂであって装飾装置種別が「装飾装置２−１」である装飾装置を「移動位置（ａ１、ｂ１）」の右移動後指定位置の状態へと駆動させ、第２装飾装置３３ｂであって装飾装置種別が「装飾装置２−２」である装飾装置を「移動位置（ａ２、ｂ２）」の左移動後指定位置の状態へと駆動させ、第２液晶表示装置３７をメイン液晶中央部縦配置（上方）である「第３形態」とした状態を示している。これによって・・・第１装飾装置３３ａと、第２装飾装置３３ｂと、第２液晶表示装置３７とが連動した演出が行われることとなる。」と記載され、上記【０３６１】〜【０３６２】には、「第１装飾装置３３ａであって装飾装置種別が「装飾装置１−１」である装飾装置を、「移動位置（ｘ２、ｙ２）」のサブ指定位置１の状態へと駆動させ、第２装飾装置３３ｂであって装飾装置種別が「装飾装置１−２」である装飾装置を、「移動位置（ｘ３、ｙ３）」のサブ指定位置２の状態へと駆動させ、第２液晶表示装置３７をメイン液晶中央部横配置（上方）である「第２形態」とした状態を示している。これによって・・・第１装飾装置３３ａと、第２液晶表示装置３７とが連動した演出が行われることとなる。」と記載されている。
　そうすると、先願明細書等には、
「第１装飾装置３３ａの装飾装置１−１」が「移動位置（ｘ１、ｙ１）のメイン指定位置にあり、第２装飾装置３３ｂの装飾装置２−１を移動位置（ａ１、ｂ１）の右移動後指定位置の状態へと駆動させ、第２装飾装置３３ｂの装飾装置２−２を移動位置（ａ２、ｂ２）の左移動後指定位置の状態へと駆動させ」る場合には」「第２液晶表示装置３７を」「メイン液晶中央部縦配置（上方）である「第３形態」とした状態」に駆動し、「第１装飾装置３３ａの装飾装置１−１を、移動位置（ｘ２、ｙ２）のサブ指定位置１の状態へと駆動させ、第２装飾装置３３ｂの装飾装置１−２を移動位置（ｘ３、ｙ３）」サブ指定位置２の状態へと駆動させ」る場合には「第２液晶表示装置３７を」「メイン液晶中央部横配置（上方）である「第２形態」とした状態」に駆動
　
（ク）上記【００４１】には「飾り部材７の略中央部分には、ＬＣＤ（LiquidCrystal Display）等によって構成される第１液晶表示装置３１（以下、「メイン液晶」とも称する）が設けられており・・・第１液晶表示装置３１の上方には、仮面の形からなる第１装飾装置３３ａ（便宜上、以下では「装飾装置１」とも称することがある）が設けられている。」との、上記【００４３】には「第１液晶表示装置３１の下方には第１液晶表示装置３１に比べて小さいサイズの第２液晶表示装置３７（３３ｃ）（以下、「サブ液晶」とも称する）が設けられている。さらに、第１液晶表示装置３１の左右には遊技媒体の経路の背面であって第１液晶表示装置３１の上面に図１および図２では視認することができないものの第２装飾装置３３ｂがそれぞれ設けられている。・・・第１液晶表示装置３１の左側に設けられた装飾装置２を特に「装飾装置２−１」と称し、第１液晶表示装置３１の右側に設けられた装飾装置２を特に「装飾装置２−２」と称する」との記載があり、上記【０３４４】〜【０３４６】には、第２液晶表示装置３７の第１形態〜第３形態の説明として「図２９（ａ）では、第２液晶表示装置３７の初期状態として第１液晶表示装置３１の下方に横向き配置した形態である第１の形態（第１形態）を示している。・・・次に、図２９（ｂ）では、第２液晶表示装置３７を図２９（ａ）に示すような横向き配置にある第１形態から第１液晶表示装置３１の中央部に上昇させた第２の形態（第２形態）を示している。・・・そして、図２９（ｃ）では、図２９（ｂ）に示す第２形態である、第１液晶表示装置３１の中央部に横向き配置された状態から左右いずれかの方向に直角回転させて、第２液晶表示装置３７の横向き配置から縦向き配置とし、若干上方に移動させた第３の形態（第３形態）を示している。」なる記載がある。
　さらに、上記【０３５８】には、「図３０（ａ）では、第１装飾装置３３ａ（装飾装置種別が「装飾装置１−１」）が、「移動位置（ｘ１、ｙ１）」のメイン指定位置にあり、第２装飾装置３３ｂであって装飾装置種別が「装飾装置２−１」である装飾装置を「移動位置（ａ１、ｂ１）」の右移動後指定位置の状態へと駆動させ、第２装飾装置３３ｂであって装飾装置種別が「装飾装置２−２」である装飾装置を「移動位置（ａ２、ｂ２）」の左移動後指定位置の状態へと駆動させ、第２液晶表示装置３７をメイン液晶中央部縦配置（上方）である「第３形態」とした状態を示している。」なる記載がある。
　そうすると、先願明細書等には、
第２液晶表示装置３７が「第１液晶表示装置３１の中央部に横向き配置された状態から左右いずれかの方向に直角回転させて、第２液晶表示装置３７の横向き配置から縦向き配置とし、若干上方に移動させた第３の形態（第３形態）」に駆動される場合には、「第１液晶表示装置３１の左側に設けられた」「第２装飾装置３３ｂ」の「装飾装置２−１」を「移動位置（ａ１、ｂ１）」の右移動後指定位置の状態へと駆動させ、」「第１液晶表示装置３１の右側に設けられた」「第２装飾装置３３ｂ」の「装飾装置２−２」を「「移動位置（ａ２、ｂ２）」の左移動後指定位置の状態へと駆動させ」
　また、上記【０３６１】には「第１装飾装置３３ａであって装飾装置種別が「装飾装置１−１」である装飾装置を、「移動位置（ｘ２、ｙ２）」のサブ指定位置１の状態へと駆動させ、第２装飾装置３３ｂであって装飾装置種別が「装飾装置１−２」である装飾装置を、「移動位置（ｘ３、ｙ３）」のサブ指定位置２の状態へと駆動させ、第２液晶表示装置３７をメイン液晶中央部横配置（上方）である「第２形態」とした状態を示している。」なる記載がある。
　そうすると、先願明細書等には、
第２液晶表示装置３７が「第１液晶表示装置３１の中央部に上昇させた第２の形態（第２形態）」となる場合には、「第１液晶表示装置３１の上方に」「設けられ」た「第１装飾装置３３ａ（装飾装置種別が「装飾装置１−１」）が（上記【００４１】、【０３４４】〜【０３４６】、【０３６１】）、「第１液晶表示装置３１の上方の「メイン指定位置」に比べて下方の「サブ指定位置１」に移動」
（ケ）上記【０３４６】には、「図２９（ｃ）では、図２９（ｂ）に示す第２形態である、第１液晶表示装置３１の中央部に横向き配置された状態から左右いずれかの方向に直角回転させて、第２液晶表示装置３７の横向き配置から縦向き配置とし、若干上方に移動させた第３の形態（第３形態）」とすることが記載されている。（以下「記載事項ケ−１」という。）
　また、上記【０３４５】には、「図２９（ｂ）では、第２液晶表示装置３７を図２９（ａ）に示すような横向き配置にある第１形態から第１液晶表示装置３１の中央部に上昇させた第２の形態（第２形態）」とすることが記載されている。（以下「記載事項ケー２」という。）
　また、先願明細書等を通じ第２液晶表示装置３７が表裏反転する（画像表示面が裏側になる）などして視認不能となることについては、そのように機能し得る機構についても含め、何らの言及もないこと、および、上記１．（Ｆ１）から、図２９（ａ）〜（ｃ）に示される第１態様から第３態様への駆動を通じ「第２液晶表示装置３７は同じ面が正面視で視認されていることがみてとれ」、該視認可能な面が第２液晶表示装置３７の画像表示面であることが明らかことから、該第２液晶表示装置３７に表示されている画像は、該第２液晶表示装置３７に前記記載事項ケー１・ケー２の駆動演出が行われる期間について、視認可能な状態が維持されていることが明らかであるといえる。
　また、前記第２液晶表示装置３７を駆動するのが演出用駆動装置３３であることは上記（オ）のとおりである。
　そうすると、先願明細書等には、
演出用駆動装置３３が第２液晶表示装置３７を直角回転させて第３形態とする演出と（記載事項ケー１）、第２液晶表示装置３７を横向き位置から第１液晶表示装置の中央部に上昇させて第２形態とする演出と（記載事項ケー２）が実行可能で、該各演出において前記第２液晶表示装置３７の画像表示面は視認可能であ
（コ）上記【０１０７】〜【０１１２】には、「「遊技状態バッファ」とは、大当たり当選時の遊技状態を示す情報である。そして、遊技状態は、時短遊技状態（又は非時短遊技状態）および高確率遊技状態（又は低確率遊技状態）の組合せから構成されている。・・・図７に示す大当たり遊技終了時設定データテーブルでは、同じ特別図柄の種類であっても、遊技状態バッファに記憶された情報に基づいて、時短遊技フラグの設定や時短回数（Ｊ）を異ならせることを可能にしている。具体的には、特別図柄の種類が特別図柄３（停止図柄データ０３、第１確変大当たり「３」に対応）の場合には、・・・時短遊技フラグ及び時短回数（Ｊ）に関しては、遊技状態バッファに時短遊技フラグが設定されていない遊技状態を示す情報（「００Ｈ」または「０１Ｈ」）が記憶されていれば、大当たり終了後には時短遊技フラグの設定は行わず、時短回数（Ｊ）も「０回」に設定する。これに対して、遊技状態バッファに時短遊技フラグが設定されている遊技状態を示す情報（「０２Ｈ」または「０３Ｈ」）が記憶されていれば、大当たり遊技終了後には時短遊技フラグをセットして、時短回数（Ｊ）を「１００００回」に設定する。これにより、大当たり当選時の遊技状態によって時短回数（Ｊ）を変化させ、大当たり当選時の遊技状態に対する興味を遊技者に持たせることができる。」との記載がある。（以下「記載事項コー１」という。）
　また、上記【０１３９】〜【０１４０】には「図１０に示す特別図柄の変動パターン決定テーブルによって、作動する特別図柄表示装置（遊技球が入賞した始動口の種別）、大当たりの判定結果、停止する特別図柄、時短遊技状態の有無、特別図柄保留数（Ｕ１またはＵ２）、リーチ判定用乱数値及び特図変動用乱数値に基づき、特別図柄の変動パターンが決定される。そして、決定した特別図柄の変動パターンに基づいて、特別図柄の変動時間が決定されるとともに、演出制御基板１２０に特別図柄の情報を送信する特別図柄の変動パターン指定コマンドが特定される。」との記載がある。（以下「記載事項コー２」という。）
　また、上記【０１５６】〜【０１６０】には、「変動パターン指定コマンドに基づいて演出パターン指定コマンドを特定する際に用いるテーブルの一例を図１１に示している。・・・演出制御基板１２０は、図１１に示すような演出パターン決定テーブル等を用いて演出パターン指定コマンドを作成してランプ制御基板１４０や画像制御基板１５０へと送出する。」との記載がある。（以下「記載事項コー３」という。）
　また、上記【０３０６】〜【０３１８】には、「演出パターン指定コマンド「Ａ１Ｈ０５Ｈ」を演出制御基板１２０から受信したランプ制御基板１４０では、図１５に示すような連動情報テーブルを用いて、第１装飾装置連動情報および第２装飾装置連動情報およびサブ液晶連動情報における詳細情報を特定する処理を行い、この詳細情報に基づく情報を演出用駆動装置３３に送信する処理を行う。・・・ランプ制御基板１４０は、第２液晶表示装置３７を駆動するために「第２液晶表示装置（サブ液晶）を第３形態へと形態変更する」というサブ液晶連動情報を演出用駆動装置３３に送信する。・・・図３０（ａ）には、ランプ制御基板１４０が演出制御基板１２０から演出パターン指定コマンド「Ａ１Ｈ０５Ｈ」を受信したことによって作成した駆動指示情報に基づいて、演出用駆動装置３３が、第１装飾装置３３ａおよび第２装飾装置３３ｂを駆動することによって移動させた状態を示し、ランプ制御基板１４０が演出制御基板１２０から演出パターン指定コマンド「Ａ１Ｈ０５Ｈ」を受信したことによって特定したサブ液晶連動情報に基づいて、演出用駆動装置３３が、第２液晶表示装置３７を駆動させた状態を示している。」と記載されている。（以下「記載事項コー４」という。）
　また、上記【０３２６】〜【０３３６】には、「演出制御基板１２０から演出パターン指定コマンド「Ａ１Ｈ０６Ｈ」を受信すると、ランプ制御基板１４０では、上述するように、第１装飾装置連動情報および第２装飾装置連動情報およびサブ液晶連動情報における詳細情報を特定する処理を行う。まず、第１装飾装置連動情報として、図１５に示す連動情報テーブルから「装飾装置種別」項目の値として、「装飾装置１」が構成する「装飾装置１−１」および「装飾装置１−２」を特定する。・・・ランプ制御基板１４０は、第１装飾装置３３ａを構成する「装飾装置１−１」および「装飾装置１−２」を動作するために、「装飾装置１−１によって識別される装飾装置をサブ指定位置１である移動位置（ｘ２、ｙ２）へと移動させるとともに、装飾装置１−２によって識別される装飾装置をサブ指定位置２である移動位置（ｘ３、ｙ３）へと移動させ、この位置において動作００３で識別される動作を行う」という情報を含む駆動指示情報（第１駆動指示情報）を作成し、演出用駆動装置３３に送信する。・・・そして、サブ液晶連動情報として、図１５に示す連動情報テーブルから「駆動後形態」項目の値として「第２形態」を特定する。この第２形態は、「形態説明」の項目によって示される「メイン液晶中央部横配置（上方）」であることを示している。図３０（ｂ）には、ランプ制御基板１４０が演出制御基板１２０から演出パターン指定コマンド「Ａ１Ｈ０６Ｈ」を受信したことで作成した駆動指示情報に基づいて、演出用駆動装置３３が第１装飾装置３３ａおよび第２液晶表示装置３７を駆動させた状態を示している。」と記載されている。（以下「記載事項コー５」という。）
　一方、図７、１０、１１、１５には、前記記載事項コー４・コー５で例示される、「演出パターン指定コマンド」が「Ａ１Ｈ０５Ｈ」及び「Ａ１Ｈ０６Ｈ」である各場合について、前記記載事項コー１〜コー５をもとに図１５から図７へと逆に辿ると、上記１．（Ｆ５）で認定したとおり、「サブ液晶すなわち第２液晶表示装置３７が「第３形態」に駆動される演出は、図１５の「連動情報テーブル」によれば演出内容が「リーチ演出Ｃ」、演出パターン指定コマンドが「Ａ１Ｈ０５Ｈ」の場合に対応し、この場合を図１１の「演出パターン決定テーブル」でみると、変動パターン指定コマンドが「Ｅ６Ｈ０３Ｈ」の場合に対応し、この場合を図１０の「特別図柄の変動パターンテーブル」でみると、当落が「大当たり」で特別図柄（停止図柄）が「特別図柄１（第１確変大当たり１）」の場合のうちの特図変動用乱数値が９０〜９９の場合に対応し、この「特別図柄１（第１確変大当たり）」の場合を図７の「大当たり遊技終了時設定データテーブル」でみると、無条件に「時短遊技状態」が設定されることが示されている。
　一方、サブ液晶すなわち第２液晶表示装置３７が「第２形態」に駆動される演出は、図１５の「連動情報テーブル」によれば演出内容が「チャンス演出」、演出パターン指定コマンドが「Ａ１Ｈ０６Ｈ」の場合に対応し、この場合を図１１の「演出パターン決定テーブル」でみると、変動パターン指定コマンドが「Ｅ６Ｈ０４Ｈ」の場合に対応し、この場合を図１０の「特別図柄の変動パターンテーブル」でみると、当落が「大当たり」で特別図柄（停止図柄）が「特別図柄２，３（第１確変大当たり２，３）」の場合のうちの特図変動用乱数値が９０〜９９の場合に対応し、この「特別図柄２，３（第１確変大当たり２，３）」の場合を図７の「大当たり遊技終了時設定データテーブル」でみると、そのうち「特別図柄２」の場合には無条件に「時短遊技状態」が選択され、「特別図柄３」の場合には、上記【０１０７】で「大当たり当選時の遊技状態を示す情報」と説明される「遊技状態バッファ」の情報に応じて、「時短遊技状態」が、該当選時の遊技状態が時短状態でなければ「非時短遊技状態」に、該当選時が時短状態であれば「時短遊技状態」に設定されることが示されている。
　ここで、図１０の「特別図柄の変動パターン決定テーブル」では、「特別図柄」が「特別図柄１」となる場合において特図変動用乱数値によりその一部の場合についてのみ変動パターン指定コマンドが変動内容「リーチＣ」に対応する「Ｅ６Ｈ０３Ｈ」に設定されるが、逆に、変動パターン指定コマンドが「Ｅ６Ｈ０３Ｈ」の場合のすべては特別図柄の判定結果が「特別図柄１」である場合に該当するから、変動パターン指定コマンドが「Ｅ６Ｈ０３Ｈ」の場合には無条件に「時短遊技状態」が設定されるといえる。（以下「記載事項コー６」という。）
　そうすると、演出パターン指定コマンドが「Ａ１Ｈ０５Ｈ」の場合には無条件に（１００％）「時短遊技状態」が設定されるのに対し、演出パターン指定コマンドが「Ａ１Ｈ０６Ｈ」の場合には、大当たり当選時の遊技状態に応じて非時短遊技状態となる場合が存在するため、無条件に（１００％）時短遊技状態とはならず、時短遊技状態となる確率が１００％未満であるといえる。（以下「認定事項コー７」という。）
　
　上記記載事項コー４・コー５から、演出パターン指定コマンドが「Ａ１Ｈ０５Ｈ」の場合が第２液晶表示装置３７が「第３形態」となる場合に、演出パターン指定コマンドが「Ａ１Ｈ０６Ｈ」の場合が第２液晶表示装置３７が「第２形態」となる場合に該当し、前記「第３形態」となる場合は上記記載事項ケー１のとおり第２液晶表示装置３７が「横向き配置された状態から左右いずれかの方向に直角回転させて、第２液晶表示装置３７の横向き配置から縦向き配置と」する演出であり、前記「第２形態」となる場合は上記記載事項ケー２のとおり第２液晶表示装置３７が「横向き配置にある第１形態から第１液晶表示装置３１の中央部に上昇させ」る演出である。
　このことと、前記記載事項コー６、認定事項コー７とから、先願明細書等には、
「演出パターン指定コマンドが「Ａ１Ｈ０５Ｈ」の場合」に該当する「第２液晶表示装置３７が「横向き配置された状態から左右いずれかの方向に直角回転させて、第２液晶表示装置３７の横向き配置から縦向き配置と」なって「第３形態」となる演出の場合には、１００％時短遊技状態が設定されるにに対し、「演出パターン指定コマンドが「Ａ１Ｈ０６Ｈ」の場合」に該当する「第２液晶表示装置３７が横向き配置にある第１形態から第１液晶表示装置３１の中央部に上昇」して「第２形態」となる演出の場合には、時短遊技状態となる確率が１００％未満である
３．上記１．の各記載事項、上記２．の各認定事項から、先願明細書等には次の発明（以下「先願発明」という。）が記載されていると認められる（ａ〜ｋは、本件発明の構成Ａ〜Ｋに対応させて付与した。）。
　
「ａ　遊技媒体を用いた遊技を提供し、時短遊技状態が、遊技球が入賞した始動口の種別と、第１始動口１４または第２始動口１５に遊技球が入球したときに取得される大当たり図柄用乱数値または小当たり図柄用乱数値等とに基づいて制御される遊技機であって、（２．（ア））
ｂ　遊技の進行に応じた画像を表示する第１液晶表示装置３１と、（２．（イ））
ｃ　ランプ制御基板１４０が演出制御基板１２０から演出パターン指定コマンド「Ａ１Ｈ０５Ｈ」を受信したことによって、第２形態である、第１液晶表示装置３１の前面側中央部に第２液晶表示装置３７が横向き配置された状態から、左右いずれかの方向に直角回転させて、該横向き配置から縦向き配置とし、若干上方に移動させた第３の形態（第３形態）へと、第１液晶表示装置３１の前面側で駆動され、演出制御基板１２０から演出パターン指定コマンド「Ａ１Ｈ０５Ｈ」を受信した画像制御基板１５０が画像制御基板１５０からの指示により図１２に示すようなアニメーション情報決定テーブルを用いて決定したアニメーション情報に基づく演出画像を表示演出画像を描画して前記第１液晶表示装置３１と共に表示する第２液晶表示装置３７と、（２．（ウ））
ｄ　前記第２液晶表示装置３７の近傍で上下方向に移動することが可能な第１装飾装置３３ａ、ならびに、装飾装置２−１・２−２の２要素からなり、それぞれが第２液晶表示装置３７の近傍で左右方向に移動可能な第２装飾装置３３ｂと、（２．（エ））
ｅ　前記第２液晶表示装置３７ならびに前記第１装飾装置３３ａおよび前記第２装飾装置３３ｂを駆動する演出用駆動装置３３と、を備え、（２．（オ））
ｆ　演出パターン指定コマンド「Ａ１Ｈ０５Ｈ」に基づく演出が成立することで、前記演出用駆動装置３３が、前記第１装飾装置３３ａおよび前記第２装飾装置３３ｂを駆動し、前記演出用駆動装置３３が、前記第２液晶表示装置３７を駆動することによって「第３形態」の状態とし、前記第１液晶表示装置３１に表示した演出画像と、前記第２液晶表示装置３７に表示した演出画像と、前記第１装飾装置３３ａと、前記第２装飾装置３３ｂと、前記第２液晶表示装置３７とが連動した演出が行われ、（２．（カ））
ｇ　前記第１装飾装置３３ａの装飾装置１−１が移動位置（ｘ１、ｙ１）のメイン指定位置にあり、前記第２装飾装置３３ｂの装飾装置２−１を移動位置（ａ１、ｂ１）の右移動後指定位置の状態へと駆動させ、第２装飾装置３３ｂの装飾装置２−２を移動位置（ａ２、ｂ２）の左移動後指定位置の状態へと駆動させる場合には、前記第２液晶表示装置３７をメイン液晶中央部縦配置（上方）である「第３形態」とした状態に駆動し、
　前記第１装飾装置３３ａの装飾装置１−１を移動位置（ｘ２、ｙ２）のサブ指定位置１の状態へと駆動させ、前記第２装飾装置３３ｂの装飾装置１−２を移動位置（ｘ３、ｙ３）のサブ指定位置２の状態へと駆動させる場合には前記第２液晶表示装置３７をメイン液晶中央部横配置（上方）である「第２形態」とした状態に駆動させ、（２．（キ））
ｈ　前記第２液晶表示装置３７が前記第１液晶表示装置３１の中央部に横向き配置された状態から左右いずれかの方向に直角回転させて、前記第２液晶表示装置３７の横向き配置から縦向き配置とし、若干上方に移動させた第３の形態（第３形態）」に駆動される場合には、前記第１液晶表示装置３１の左側に設けられた前記第２装飾装置３３ｂの前記装飾装置２−１を「移動位置（ａ１、ｂ１）」の右移動後指定位置の状態へと駆動させ、前記第１液晶表示装置３１の右側に設けられた前記第２装飾装置３３ｂの前記装飾装置２−２を「移動位置（ａ２、ｂ２）」の左移動後指定位置の状態へと駆動させ、
　前記第２液晶表示装置３７が前記第１液晶表示装置３１の中央部に上昇させた第２の形態（第２形態）」となる場合には、前記第１液晶表示装置３１の上方に設けられた前記第１装飾装置３３ａの装飾装置１−１が前記第１液晶表示装置３１の上方のメイン指定位置に比べて下方のサブ指定位置１に移動し、（２．（ク））
ｉ　演出用駆動装置３３が前記第２液晶表示装置３７を直角回転させて第３形態とする演出と、前記第２液晶表示装置３７を横向き位置から第１液晶表示装置の中央部に上昇させて第２形態とする演出とが実行可能で、該各演出において前記第２液晶表示装置３７の画像表示面は視認可能であり、（２．（ケ））
ｊ　前記演出パターン指定コマンドが「Ａ１Ｈ０５Ｈ」の場合に該当する、前記第２液晶表示装置３７が横向き配置された状態から左右いずれかの方向に直角回転させて、前記第２液晶表示装置３７の横向き配置から縦向き配置となって「第３形態」となる演出の場合には、１００％時短遊技状態が設定されるにに対し、前記演出パターン指定コマンドが「Ａ１Ｈ０６Ｈ」の場合に該当する前記第２液晶表示装置３７が横向き配置にある第１形態から第１液晶表示装置３１の中央部に上昇して「第２形態」となる演出の場合には、時短遊技状態となる確率が１００％未満である、（２．（コ））
ｋ　遊技機。（２．（ア））」
第５．当審の判断
１．対比
　本願補正発明と引用発明とを対比する。対比の見出しとしての（ａ）〜（ｋ）は洗顔発明の分説構成と対応させた。
（ａ）先願発明の構成ａの「遊技媒体を用いた遊技」、「遊技球が入賞した始動口の種別と、第１始動口１４または第２始動口１５に遊技球が入球したときに取得される大当たり図柄用乱数値または小当たり図柄用乱数値等」、「時短遊技状態」はそれぞれ、本件発明の構成Ａの「所定の遊技」、「遊技結果」、「遊技者にとって有利な有利状態」に相当する。
（ｂ）先願発明の構成ｂの「第１液晶表示装置３１」は本件発明の構成Ｂの「第１表示手段」に相当する。
（ｃ）先願発明の構成ｃの「第１液晶表示装置３１の前面側中央部」、「第２液晶表示手段」「第２液晶表示装置３７が横向き配置された状態から左右いずれかの方向に直角回転させて、該横向き配置から縦向き配置とし、若干上方に移動させ」ること、はそれぞれ、本件発明の構成Ｃの「第１表示手段の前面側」、「第２表示手段」、「動作可能」であること、に相当する。
　また、先願発明の構成ｃの第２液晶表示装置３７が「演出制御基板１２０から演出パターン指定コマンド「Ａ１Ｈ０５Ｈ」を受信した画像制御基板１５０が画像制御基板１５０からの指示により図１２に示すようなアニメーション情報決定テーブルを用いて決定したアニメーション情報に基づく演出画像を表示演出画像を描画して前記第１液晶表示装置３１と共に表示する」ことは、第１・第２各液晶表示装置に対し共通のアニメーション情報に基づく演出画像が表示されることであるから、本件発明の構成Ｃの第２表示手段が「該第１表示手段に表示される画像と関連した画像が表示」することに相当する。
（ｄ）先願発明の構成ｄの「第１装飾装置３３ａ」及び「装飾装置２−１・２−２の２要素からなり・・・第２装飾装置３３ｂ」は本件発明の構成Ｄの「複数の可動部材」に相当する。
　また、先願発明の構成ｄの前記「第１装飾装置３３ａ」が「前記第２液晶表示装置３７の近傍で上下方向に移動することが可能」であること、及び前記「第２装飾装置３３ｂ」が「第２液晶表示装置３７の近傍で左右方向に移動可能」であることは、本件発明の構成Ｄの「第２表示手段の近傍で動作可能」に相当する。
（ｅ）先願発明の構成ｅの「演出用駆動装置３３」は、それぞれ本件発明の構成Ｅの第２表示手段及び複数の可動部材に相当する「前記第２液晶表示装置３７ならびに前記第１装飾装置３３ａおよび前記第２装飾装置３３ｂ」を駆動する手段であるから、本件発明の構成Ｅの「動作制御手段」に相当する。
（ｆ）先願発明の構成ｆの「演出用駆動装置３３が、前記第１装飾装置３３ａおよび前記第２装飾装置３３ｂを駆動し、前記演出用駆動装置３３が、前記第２液晶表示装置３７を駆動することによって「第３形態」の状態とし、・・・前記第１装飾装置３３ａと、前記第２装飾装置３３ｂと、前記第２液晶表示装置３７とが連動した演出」を行う点は、本件発明の構成Ｆの「動作制御手段は・・・前記第２表示手段の動作と前記可動部材の動作とを連動させた連動演出を実行」することに相当する。
　また、前記構成ｆでは、前記演出用駆動装置３３による「前記第１装飾装置３３ａと、前記第２装飾装置３３ｂと、前記第２液晶表示装置３７とが連動した演出」がさらに「前記第１液晶表示装置３１に表示した演出画像と、前記第２液晶表示装置３７に表示した演出画像と」も連動した演出なのであるから、該演出用駆動装置３３による前記第１・第２装飾装置及び第２の液晶表示装置３７の駆動が行われる時は、前記第２液晶表示装置３７にも演出画像が表示されている時であるといえ、これは前記構成Ｆの「前記第２表示手段に画像が表示されているとき」に相当する。
（ｇ）先願発明の構成ｇでは、「第２液晶表示装置３７をメイン液晶中央部縦配置（上方）である「第３形態」とした状態に駆動」する場合には「前記第１装飾装置３３ａの装飾装置１−１が移動位置（ｘ１、ｙ１）のメイン指定位置にあり、前記第２装飾装置３３ｂの装飾装置２−１を移動位置（ａ１、ｂ１）の右移動後指定位置の状態へと駆動させ、第２装飾装置３３ｂの装飾装置２−２を移動位置（ａ２、ｂ２）の左移動後指定位置の状態へと駆動させ」、「前記第２液晶表示装置３７をメイン液晶中央部横配置（上方）である「第２形態」とした状態に駆動」する場合には「前記第１装飾装置３３ａの装飾装置１−１を移動位置（ｘ２、ｙ２）のサブ指定位置１の状態へと駆動させ、前記第２装飾装置３３ｂの装飾装置１−２を移動位置（ｘ３、ｙ３）のサブ指定位置２の状態へと駆動」するのであるから、第２液晶表示装置３７の動作が第２態様か第３態様かに応じて第１・第２装飾装置の動作が相違しているといえる。そして、該第２態様及び第３態様は、メイン液晶中央部横配置（上方）へと駆動する動作であるか、メイン液晶中央部縦配置とする動作であるかの点で相違するから、該両態様は本件発明の構成Ｇの「異なる動作」に相当する。
　よって、先願発明の構成ｇは、本件発明の構成Ｇ「前記第２表示手段は、前記連動演出においていずれの前記可動部材が動作するかに応じて異なる動作をし、」に相当する。
（ｈ）先願発明の構成ｈの「第１装飾装置３３ａの装飾装置１−１」、「第２装飾装置３３ｂの装飾装置２−１」と「第２装飾装置３３ｂの装飾装置２−２」はそれぞれ本件発明の構成Ｈの「第１の可動部材」、「第２可動部材」に相当する。
　また、前記構成ｈの、「第２液晶表示装置３７」が「前記第１液晶表示装置３１の中央部に横向き配置された状態から左右いずれかの方向に直角回転させて、前記第２液晶表示装置３７の横向き配置から縦向き配置とし、若干上方に移動させた第３の形態（第３形態）」、「前記第１液晶表示装置３１の中央部に上昇させた第２の形態（第２形態）」」は何れも、前記第２液晶表示装置３７が前記第１液晶表示装置３１の中央部にある状態であるから、「前記第１液晶表示装置３１の左側に設けられた前記第２装飾装置３３ｂの前記装飾装置２−１を「移動位置（ａ１、ｂ１）」の右移動後指定位置の状態へと駆動させ、前記第１液晶表示装置３１の右側に設けられた前記第２装飾装置３３ｂの前記装飾装置２−２を「移動位置（ａ２、ｂ２）」の左移動後指定位置の状態へと駆動させ」る動作（以下「動作１」という。）も、「前記第１液晶表示装置３１の上方に設けられた前記第１装飾装置３３ａの装飾装置１−１が前記第１液晶表示装置３１の上方のメイン指定位置に比べて下方のサブ指定位置１に移動」する動作（以下「動作２」という。）も、該各動作で動作する装飾装置と第２液晶表示装置３７との距離が近くなる動作であるといえる。
　よって、前記構成ｈの前記動作１及び動作２を行うことは何れも、本件発明の構成Ｈの「前記第２表示手段との距離が近くなるように動作」することに相当する。
（ｉ）先願発明の構成ｉの「前記第２液晶表示装置３７の画像表示面は視認可能」であることは本件発明の構成Ｉの「視認可能な状態を維持したまま」に相当する。
　また、前記構成ｉの「駆動用制御装置３３」が前記構成Ｉの「動作制御手段」に相当することは上記（ｅ）のとおりである。
　また、前記構成ｉの「前記第２液晶表示装置３７を直角回転させて第３形態とする演出」「前記第２液晶表示装置３７を横向き位置から第１液晶表示装置の中央部に上昇させて第２形態とする演出」は、何れも前記のとおり「該各演出において前記第２液晶表示装置３７の画像表示面は視認可能」なのであるから、それぞれ前記構成Ｉの「前記第２表示手段に表示されている画像が遊技機の前面側から視認可能な状態を維持したまま回転させる回転動作演出」、「前記第２表示手段を前記第１表示手段に向かって平行移動させる平行動作演出」に相当する。
（ｊ）先願発明の構成ｊの「第３形態」は「横向き配置された状態から左右いずれかの方向に直角回転」する動作演出であるから本件発明の構成Ｊの「回転動作演出」に、前記構成ｊの「第２形態」は「横向き配置にある第１形態から第１液晶表示装置３１の中央部に上昇」する動作演出であるから前記構成Ｊの「平行動作演出」に、それぞれ相当する。
　また、「前記第２液晶表示装置３７・・・「第３形態」となる演出の場合には、１００％時短遊技状態が設定されるにに対し、・・・前記第２液晶表示装置３７が・・・「第２形態」となる演出の場合には、時短遊技状態となる確率が１００％未満である」こと（以下「構成ｊ１」という。）は、本件発明の「第２表示手段」に相当する第２液晶表示装置３７が第３形態、すなわち回転動作演出である場合と、第２形態、すなわち平行動作演出である場合とで「時短遊技状態」に制御される確率が相違することであり、該「時短遊技状態」が前記構成Ｊの「有利状態」に相当することは上記（ａ）のとおりである。
　よって、前記構成ｊの「前記演出パターン指定コマンドが「Ａ１Ｈ０５Ｈ」の場合に該当する、前記第２液晶表示装置３７が横向き配置された状態から左右いずれかの方向に直角回転させて、前記第２液晶表示装置３７の横向き配置から縦向き配置となって「第３形態」となる演出の場合には、１００％時短遊技状態が設定されるにに対し、前記演出パターン指定コマンドが「Ａ１Ｈ０６Ｈ」の場合に該当する前記第２液晶表示装置３７が横向き配置にある第１形態から第１液晶表示装置３１の中央部に上昇して「第２形態」となる演出の場合には、時短遊技状態となる確率が１００％未満である」ことは、前記構成Ｊの「前記回転動作演出が実行されるときと、前記平行動作演出が実行されるときと、で前記有利状態に制御される割合が異なる」ことに相当するといえる。
２．一致点・相違点・判断
　前項１．から、本件発明と先願発明とは、
「Ａ　所定の遊技を行い、遊技結果に基づいて遊技者にとって有利な有利状態に制御可能な遊技機であって、
Ｂ　前記所定の遊技の進行に対応した画像が表示される第１表示手段と、
Ｃ　前記第１表示手段の前面側で動作可能に設けられ、該第１表示手段に表示される画像と関連した画像が表示される第２表示手段と、
Ｄ　前記第２表示手段の近傍で動作可能に設けられた複数の可動部材と、
Ｅ　前記第２表示手段及び前記可動部材を動作させる動作制御手段と、を備え、
Ｆ　前記動作制御手段は、前記第２表示手段に画像が表示されているときに、前記第２表示手段の動作と前記可動部材の動作とを連動させた連動演出を実行し、
Ｇ　前記第２表示手段は、前記連動演出においていずれの前記可動部材が動作するかに応じて異なる動作をし、
Ｈ　複数の前記可動部材のうち少なくとも第１の可動部材と第２可動部材とが、前記第２表示手段との距離が近くなるように動作し、
Ｉ　前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出と、を実行可能であり、
Ｊ　前記回転動作演出が実行されるときと、前記平行動作演出が実行されるときと、で前記有利状態に制御される割合が異なる
Ｋ　ことを特徴とする遊技機。」
である点で一致し、両者の間に相違点はない。
　よって、本件発明は先願発明と同一であり、また、差異があったとしても、課題解決のための具体化手段における微差であり、実質的に同一である。
３．請求人は平成２９年７月６日付けで提出された意見書において、
「補正後の請求項１に係る発明は、「前記動作制御手段は、前記第２表示手段に表示されている画像が遊技機の前面側から視認可能な状態を維持したまま回転させる回転動作演出と、前記第２表示手段を前記第１表示手段に向かって平行移動させる平行動作演出と、を実行可能であり、前記回転動作演出が実行されるときと、前記平行動作演出が実行されるときと、で前記有利状態に制御される割合が異なる」ことを特徴とします。
　このような特徴は、先願１の明細書等に記載されていません。」
と主張し、またその有利な効果の存在についても主張している。
　該主張は、同日付で提出された手続補正書により請求項１に加入された上記構成Ｊについてのものであるが、該構成Ｊに相当する事項は、上記第４．２．（コ）および第５．１．（ｊ）に記載したとおり、先願明細書等に記載があるから、前記主張は採用することができない。
４．むすび　
　以上のとおり、本願発明は、先願発明と同一であり、しかも、本願発明の発明者が先願発明の発明者と同一であるとも、また、本願の出願時に、その出願人が先願発明の出願人と同一であるとも認められないので，特許法第２９条の２の規定により特許を受けることができない。
　したがって、本願は、その余の請求項に係る発明について検討するまでもなく、拒絶されるべきものである。
　よって、結論のとおり審決する。